(57)【要約】      （修正有）【課題】マナーモード時に、比較的簡単な方法及び操作で、画像と文字メッセージによるＴＶ電話を可能にする手段を提供する。【解決手段】携帯ＴＶ電話端末１０にマナーモードが設定されているときには、携帯ＴＶ電話端末１０の動作を制御する制御部は、携帯ＴＶ電話端末１０の送話用マイクによる音声入力と受話用スピーカによる音声出力を禁止するとともにＳＭＳ機能をＴＶ電話機能と並行して動作させる。携帯ＴＶ電話端末１０と１１間の回線が接続され、携帯ＴＶ電話端末１０のキー入力部を操作してＳＭＳメッセージを作成し、送信キーを押下すると、このメッセージデータは、基地局４１、ＳＭＳサーバ２０、基地局４２経由で携帯ＴＶ電話端末１１に送信され、携帯ＴＶ電話端末１１の表示部には、このメッセージがＴＶ電話交換機３０経由で送られる画像ととも表示される。【選択図】図１
2005303365.tif 000002
【特許請求の範囲】
【請求項１】
ＴＶ電話機能とＳＭＳ(Short Message Service)機能を有し、マナーモードの設定・解除が可能な携帯型ＴＶ電話の送受信方法であって、
前記マナーモードが設定された状態で前記ＴＶ電話機能による通信を実行するときに、前記無線携帯端末の送話用マイクによる音声入力と受話用スピーカによる音声出力を禁止するとともに前記ＳＭＳ機能をＴＶ電話機能と並行して起動し、該端末のキー入力部から入力された文字データを前記ＳＭＳ機能によりＳＭＳサーバ経由で送信し、該端末の表示部に、ＴＶ電話機能により受信した相手端末からの画像および前記ＳＭＳ機能により受信した相手端末からのメッセージを表示することを特徴とする携帯型ＴＶ電話の送受信方法。
【請求項２】
前記ＴＶ電話機能による通信中に、第３者からのＳＭＳを受信したときには、該第３者からのＳＭＳメッセージの表示を、前記ＴＶ電話機能による通信が終了するまで禁止することを特徴とする請求項１に記載の携帯型ＴＶ電話の送受信方法。
【請求項３】
ＴＶ電話機能と電話帳機能と電子メール機能を有し、マナーモードの設定・解除が可能な携帯型ＴＶ電話の送受信方法であって、
前記マナーモードが設定された状態で前記ＴＶ電話機能による通信を実行するときに、前記無線携帯端末の送話用マイクによる音声入力と受話用スピーカによる音声出力を禁止するとともに前記電話帳機能と電子メール機能をＴＶ電話機能と並行して起動し、該端末のキー入力部から入力された文字データを前記電話帳機能で検索したメールアドレスに対して電子メール機能によりメールサーバ経由で送信し、該端末の表示部に、ＴＶ電話機能により受信した相手端末からの画像および前記電子メール機能により受信した相手端末からのメッセージを表示することを特徴とする携帯型ＴＶ電話の送受信方法。
【請求項４】
ＴＶ電話機能と文字データを音声信号に変換して送信する機能及び受信した音声信号を文字データに変換する機能を有し、マナーモードの設定・解除が可能な携帯型ＴＶ電話の送受信方法であって、
前記マナーモードが設定された状態で前記ＴＶ電話機能による通信を実行するときに、前記無線携帯端末の送話用マイクによる音声入力と受話用スピーカによる音声出力を禁止するとともに前記文字データを音声データに変換して送信する機能及び受信した音声データを文字データに変換する機能を前記ＴＶ電話機能と並行して起動し、該端末のキー入力部から入力された文字データを音声信号に変換して送信し、該端末の表示部に、ＴＶ電話機能により受信した相手端末からの画像と受信した相手端末からの音声信号を文字データに変換したメッセージを表示することを特徴とする携帯型ＴＶ電話の送受信方法。
【請求項５】
前記メッセージを、ＴＶ電話機能により受信した相手端末からの画像にオーバーレイさせて、吹き出し形式で表示することを特徴とする請求項１〜４のいずれかに記載の携帯型ＴＶ電話の送受信方法。
【請求項６】
ＴＶ電話機能とＳＭＳ(Short Message Service)機能を備え、マナーモード設定・解除手段を有する携帯無線端末において、
前記マナーモード設定・解除手段がマナーモードを設定している状態で前記ＴＶ電話機能による通信が実行されるときに、前記無線携帯端末の送話用マイクによる音声入力と受話用スピーカによる音声出力を禁止するとともに前記ＳＭＳ機能をＴＶ電話機能と並行して起動する手段と、該端末のキー入力部から入力された文字データを前記ＳＭＳ機能によりＳＭＳサーバ経由で送信する手段と、該端末の表示部に、ＴＶ電話機能により受信した相手端末からの画像および前記ＳＭＳ機能により受信した相手端末からのメッセージを表示する手段を備えていることを特徴とする携帯無線端末。
【請求項７】
前記ＴＶ電話機能による通信中に、第３者からのＳＭＳを受信したときには、該第３者からのＳＭＳメッセージの表示を、前記ＴＶ電話機能による通信が終了するまで禁止する手段を備えていることを特徴とする請求項６に記載の携帯無線端末。
【請求項８】
ＴＶ電話機能と電話帳機能と電子メール機能を備え、マナーモード設定・解除手段を有する携帯無線端末において、
前記マナーモード設定・解除手段がマナーモードを設定している状態で前記ＴＶ電話機能による通信が実行されるときに、前記無線携帯端末の送話用マイクによる音声入力と受話用スピーカによる音声出力を禁止するとともに前記電話帳機能と電子メール機能をＴＶ電話機能と並行して起動する手段と、該端末のキー入力部から入力された文字データを前記電話帳機能で検索したメールアドレスに対して電子メール機能によりメールサーバ経由で送信する手段と、該端末の表示部に、ＴＶ電話機能により受信した相手端末からの画像および前記電子メール機能により受信した相手端末からのメッセージを表示する手段を備えていることを特徴とする携帯無線端末。
【請求項９】
ＴＶ電話機能と文字データを音声信号に変換する文字データ・音声機能と音声信号を文字データに変換する音声・文字データ変換機能を備え、マナーモード設定・解除手段を有する携帯無線端末において、
前記マナーモード設定・解除手段がマナーモードを設定している状態で前記ＴＶ電話機能による通信が実行されるときに、前記無線携帯端末の送話用マイクによる音声入力と受話用スピーカによる音声出力を禁止するとともに前記文字データ・音声変換機能及び音声・文字データ変換機能をＴＶ電話機能と並行して起動する手段と、該端末のキー入力部から入力された文字データを前記文字データ・音声変換機能により音声信号に変換して送信し、該端末の表示部に、ＴＶ電話機能により受信した相手端末からの画像と受信した相手端末からの音声信号を前記音声・文字データ変換機能により文字データに変換したメッセージを表示する手段を備えていることを特徴とする携帯無線端末。
【請求項１０】
前記メッセージを、ＴＶ電話機能により受信した相手端末からの画像にオーバーレイさせて、吹き出し形式で表示する手段を備えていることを特徴とする請求項５または６に記載の携帯無線端末。
【請求項１１】
前記携帯無線端末はイヤホン端子を備えており、前記マナーモードが設定されている状態においても前記イヤホン端子に接続されたイヤホンにより相手端末からの音声を受信可能に構成されていることを特徴とする請求項６〜１０のいずれかに記載の携帯無線端末。
【請求項１２】
前記マナーモード設定・解除手段は、予め指定された特定信号が受信される圏内で、該携帯無線端末を自動的にマナーモードに設定し、前記特定信号受信圏外へ移行したとき前記マナーモードを解除する手段を備えていることを特徴とする請求項６〜１１のいずれかに記載の携帯無線端末。
【発明の詳細な説明】
【技術分野】
【０００１】
本発明は、携帯型テレビ（ＴＶ）電話端末に関し、特にマナーモード設定時における携帯型ＴＶ電話の送受信方法、および携帯型ＴＶ電話端末に関する。
【背景技術】
【０００２】
近年ＴＶ電話機能付き携帯電話が普及しつつある。例えば特許文献１に記載の携帯無線式ＴＶ電話では、携帯端末装置本体のキー操作部から液晶モニター等の表示部で視認しながら相手側電話番号を入力し、装置本体の制御・無線回路およびアンテナを介して無線信号を発信して発呼動作を行い、相手側の端末と無線での回線が接続された後、音声・画像・文字信号を、無線信号を媒体として端末間で送受信する。相手側端末へ送信する音声情報はマイクにより音声入力され、画像情報は内蔵のカメラで撮像されて相手側に伝送される。相手側端末から受信される音声情報はスピーカあるいはイヤホンを介して音声出力され、画像・文字情報は表示部に映像として表示される。
【０００３】
また、特許文献２に記載の携帯テレビ電話端末は、画像を取り入れる撮像手段と、表示手段と、音声入力手段と、音声出力手段と、各種操作及び文字データの入力の際に操作される操作手段と、音声データ、文字データ及び画像データの通信を行う通信手段と、操作手段の操作により入力された文字からメールを作成するメール作成手段と、前記操作手段からの画像付メールの作成指示を受けて前記メール作成手段で作成した文字データに例えば送信者の顔などの画像データを添付した画像付メールを作成し、前記操作手段からの画像付メールの送信指示を受けて前記通信手段によりこの画像付メールを送信する制御手段を備えている。
【０００４】
また、特許文献３〜４に記載のテレビ電話システムでは、通信事業者網を介して互いに接続された中継局と、映像、音声及び通信データが多重化された多重データを、無線網及び通信事業者網を介して回線交換で互いに通信する携帯テレビ電話端末と、通信事業者網を回線交換で通信中の多重データからインターネット網への通信データを分離し、分離した通信データをインターネット網へ送出するとともに、この通信データに対するインターネット網からの応答データを多重データに多重化するデータ多重分離装置と、通信事業者網とインターネット網とを接続するインターネットゲートウェイと、データ多重分離装置にて分離された通信データに対する応答データを作成するサービスプロバイダとを備え、携帯テレビ電話端末において、携帯テレビ電話用アプリケーションとインターネット網へのアクセスアプリケーションとを並行して動作させることにより、携帯テレビ電話で通話をしながら、同時にインターネットにアクセスしてホームページ等の閲覧やメール送受信を行うことを可能にしている。
【０００５】
【特許文献１】特開平６−２９２１９５号公報
【特許文献２】特開２０００−３３２９０４号公報
【特許文献３】特開２００２−１１８６４９号公報
【特許文献４】特開２００３−２０４３７８号公報
【特許文献５】特開２００３−３２７４６号公報
【特許文献６】特表２００２−５０２５７０号公報
【特許文献７】特表２００３−３４８００８号公報
【発明の開示】
【発明が解決しようとする課題】
【０００６】
従来、電車内あるいは劇場内等のように周りに音を出すことが憚られるような状況における携帯電話の使用に対してマナーモードを設定する手段を設け、マナーモードが設定された携帯電話による通信を制限する方法が種々提案されており（例えば特許文献５参照）、マナーモードが設定されている状態で着信があった場合には、発呼側に対して通話ができない旨等のメッセージが送信される。
【０００７】
一方、携帯テレビ電話システムの場合、例えば特許文献２に記載のように画像付メールによる送受信を行えば、周囲に音を出すことなく通信をすることは可能であるが、この方法は、データ量の多い画像データもメールとしてメールサーバ経由で送信する必要があり、本来のＴＶ電話機能が有効に利用されていないという問題がある。
【０００８】
また、特許文献３〜４に記載の携帯ＴＶ電話端末を用いれば、ＴＶ電話機能を用いた通信を行いながら並行してメールの送受信を行うことが可能であり、テレビ電話では音声による通話をお互いに自粛してメールの送受信により通話を行えば、周囲に音を出すことなく相手から送られた画像及びメールを見ながら通信を行うことは不可能ではないが、テレビ電話機能とは別に、電子メールアプリケーションを立ち上げるための操作を行う必要があり、また相手のメールアドレスを別途入力しなければならない等、操作が面倒である。
【０００９】
本発明の目的は、上記問題点に鑑み、マナーモード設定時に、比較的簡単な方法及び操作で画像と文字メッセージによるＴＶ電話を可能にする手段を提供することにある。
【課題を解決するための手段】
【００１０】
本発明の第１の実施形態による携帯型ＴＶ電話の送受信方法は、ＴＶ電話機能とＳＭＳ(Short Message Service)機能とマナーモード設定・解除機能を利用し、前記マナーモードが設定された状態で前記ＴＶ電話機能による通信を実行するときに、前記無線携帯端末の送話用マイクによる音声入力と受話用スピーカによる音声出力を禁止するとともに前記ＳＭＳ機能をＴＶ電話機能と並行して起動し、該端末のキー入力部から入力された文字データを前記ＳＭＳ機能によりＳＭＳサーバ経由で送信し、該端末の表示部に、ＴＶ電話機能により受信した相手端末からの画像および前記ＳＭＳ機能により受信した相手端末からのメッセージを表示することを特徴とする。
【００１１】
また本発明の第２の実施形態による携帯型ＴＶ電話の送受信方法は、ＴＶ電話機能と電話帳機能と電子メール機能とマナーモード設定・解除機能を利用し、前記マナーモードが設定された状態で前記ＴＶ電話機能による通信を実行するときに、前記無線携帯端末の送話用マイクによる音声入力と受話用スピーカによる音声出力を禁止するとともに前記電話帳機能と電子メール機能をＴＶ電話機能と並行して起動し、該端末のキー入力部から入力された文字データを前記電話帳機能で検索したメールアドレスに対して電子メール機能によりメールサーバ経由で送信し、該端末の表示部に、ＴＶ電話機能により受信した相手端末からの画像および前記電子メール機能により受信した相手端末からのメッセージを表示することを特徴とする。
【００１２】
また本発明の第３の実施形態による携帯型ＴＶ電話の送受信方法は、ＴＶ電話機能と文字データを音声信号に変換して送信する機能及び受信した音声信号を文字データに変換する機能と、マナーモード設定・解除機能を利用し、前記マナーモードが設定された状態で前記ＴＶ電話機能による通信を実行するときに、前記無線携帯端末の送話用マイクによる音声入力と受話用スピーカによる音声出力を禁止するとともに前記文字データを音声データに変換して送信する機能及び受信した音声データを文字データに変換する機能を前記ＴＶ電話機能と並行して起動し、該端末のキー入力部から入力された文字データを音声信号に変換して送信し、該端末の表示部に、ＴＶ電話機能により受信した相手端末からの画像と受信した相手端末からの音声信号を文字データに変換したメッセージを表示することを特徴とする。
【００１３】
また本発明の第１の実施形態による携帯無線端末は、ＴＶ電話機能とＳＭＳ(Short Message Service)機能とマナーモード設定・解除手段を備え、前記マナーモードが設定された状態で前記ＴＶ電話機能による通信が実行されるときに、前記無線携帯端末の送話用マイクによる音声入力と受話用スピーカによる音声出力を禁止するとともに前記ＳＭＳ機能をＴＶ電話機能と並行して起動する手段と、該端末のキー入力部から入力された文字データを前記ＳＭＳ機能によりＳＭＳサーバ経由で送信する手段と、該端末の表示部に、ＴＶ電話機能により受信した相手端末からの画像および前記ＳＭＳ機能により受信した相手端末からのメッセージを表示する手段を備えていることを特徴とする。
【００１４】
また本発明の第２の実施形態による携帯無線端末は、ＴＶ電話機能と電話帳機能と電子メール機能とマナーモード設定・解除手段を有し、前記マナーモードが設定された状態で前記ＴＶ電話機能による通信が実行されるときに、前記無線携帯端末の送話用マイクによる音声入力と受話用スピーカによる音声出力を禁止するとともに前記電話帳機能と電子メール機能をＴＶ電話機能と並行して起動する手段と、該端末のキー入力部から入力された文字データを前記電話帳機能で検索したメールアドレスに対して電子メール機能によりメールサーバ経由で送信する手段と、該端末の表示部に、ＴＶ電話機能により受信した相手端末からの画像および前記電子メール機能により受信した相手端末からのメッセージを表示する手段を備えていることを特徴とする。
【００１５】
また本発明の第３の実施形態による携帯無線端末は、ＴＶ電話機能と文字データを音声信号に変換する文字データ・音声機能と音声信号を文字データに変換する音声・文字データ変換機能と、マナーモード設定・解除手段を有し、前記マナーモード設定・解除手段がマナーモードを設定している状態で前記ＴＶ電話機能による通信が実行されるときに、前記無線携帯端末の送話用マイクによる音声入力と受話用スピーカによる音声出力を禁止するとともに前記文字データ・音声変換機能及び音声・文字データ変換機能をＴＶ電話機能と並行して起動する手段と、該端末のキー入力部から入力された文字データを前記文字データ・音声変換機能により音声信号に変換して送信し、該端末の表示部に、ＴＶ電話機能により受信した相手端末からの画像と受信した相手端末からの音声信号を前記音声・文字データ変換機能により文字データに変換したメッセージを表示する手段を備えていることを特徴とする。
【発明の効果】
【００１６】
本発明によれば、電車内あるいは劇場内などのように周りに音を出すことが憚られるような状況において、マナーモードに設定した状態で携帯端末によるＴＶ電話を行うと、自動的に画像とＳＭＳ等を用いた文字メッセージによる送受信とすることができるので、比較的簡単な操作で、音声出力を行わず相手の顔を見ながらリアルタイムにメッセージの送受信を行うことが可能となる。
【００１７】
また、本発明によれば、周囲に電話による会話を聞かれたくないような状況のときにも、手動によりマナーモードを設定すれば、自動的に画像と文字メッセージによるＴＶ電話に切替えることができるので、周囲に気兼ねすることなくＴＶ電話を掛けることができる。
【発明を実施するための最良の形態】
【００１８】
図１は、本発明の第１の実施形態を示す携帯型ＴＶ電話システムの全体構成図であり、携帯ＴＶ電話端末１０、１１、ＳＭＳサーバ２０、ＴＶ電話交換機３０、基地局４１、４２からなる。また、図２〜図３は、本実施形態のＴＶ電話機能およびＳＭＳ機能を備えた携帯ＴＶ電話端末１０、１１の一例を示す外観図及びブロック図であり、カメラ１０１、ＴＶ電話画像／ＳＭＳ表示部１０２、操作部１０３、アンテナ１０４、マイク１０５、スピーカ１０６、メモリ１０７、制御部１０８、信号処理部１０９、無線部１１０、マナーモード設定・解除部１１１等を有する。
【００１９】
制御部１０８は、操作部１０３等からの指示に従ってメモリ１０７に格納されている各種制御プログラムを読み込み、その制御プログラムに従って、携帯ＴＶ電話端末の各種動作を制御する。本実施形態においては、メモリ１０７にはＳＭＳアプリケーションプログラムも格納されており、制御部１０８は外部からの指示等に従って、適宜このＳＭＳアプリケーションプログラムをメモリ１０７から読み込んでＳＭＳ機能を実行する。また、制御部１０８は、マナーモード設定・解除部１１１からマナーモード設定信号を受けたときには、携帯ＴＶ電話端末１０に対する着信音を抑制して例えばバイブレータによる着信通知に切り替え、かつ送話用マイク１０５による音声入力と受話用スピーカ１０６による音声出力を禁止する制御を行う。
【００２０】
なお、ＳＭＳシステムについては、例えば特許文献６〜７等に記載されているように当業者に周知であるのでその詳細説明は省略する。また、マナーモード設定・解除部１１１は、マナーが求められる場所において特定の電波、音波あるいは光を受信した際に当該携帯ＴＶ電話端末にマナーモードを自動設定し、特定電波受信圏外に移行した際にマナーモードを自動解除する等の適宜の自動マナーモード設定・解除手段、あるいは手動によりマナーモードを設定・解除する手段によって構成可能である。携帯無線電話機にマナーモード設定・解除手段を設けること自体は当業者に周知であるので、その詳細説明は省略する。
【００２１】
図４〜図５は、本実施形態の携帯ＴＶ電話端末による発呼または着呼時の動作を示すフローチャートである。以下、図１〜図５を参照して本実施形態の動作について説明する。
【００２２】
本実施形態の携帯ＴＶ電話端末１０から携帯ＴＶ電話端末１１に対して発呼動作の開始が指示されると、携帯ＴＶ電話端末１０の制御部１０８は、マナーモード設定・解除部１１１により携帯ＴＶ電話端末１０にマナーモードが設定されているか否かを判定し、マナーモードが解除されているときには、通常のＴＶ電話機能として動作するように制御する。なお、このとき携帯ＴＶ電話端末１０が備えているＳＭＳ機能をキー操作部１０３により起動してＴＶ電話機能と並行してＳＭＳ機能を動作させることも可能である。
【００２３】
一方、マナーモード設定・解除部１１１により携帯ＴＶ電話端末１０にマナーモードが設定されているときには、携帯ＴＶ電話端末１０の動作を制御する制御部１０８は、携帯ＴＶ電話端末１０の送話用マイク１０５による音声入力と受話用スピーカ１０６による音声出力を禁止する制御を行うとともに前記ＳＭＳ機能をＴＶ電話機能と並行して動作させるために、メモリ１０７にアクセスしてＳＭＳアプリケーションの自動立ち上げを行う。その際、表示部１０２に、マナーモードが設定されているために音声による通話は不可であることを表示させてもよい。
【００２４】
次に、携帯ＴＶ電話端末１１の電話番号が入力されて発呼が指示されると、無線により基地局４１に対して携帯ＴＶ電話端末１１との接続要求が送信される。この接続要求の中に、ＳＭＳを利用した文字データで通信することを示す情報を挿入し、携帯ＴＶ電話端末１１が応答した際にその旨を伝達する構成とすることもできる。
【００２５】
携帯ＴＶ電話端末１１からの応答があると、携帯ＴＶ電話端末１０と１１間の回線が接続されて通信可能状態となり、携帯ＴＶ電話端末１１の表示部１０２にはＴＶ電話交換機３０経由で携帯ＴＶ電話端末１０から送信された画像データが表示され、携帯ＴＶ電話端末１０の表示部１０２にはＴＶ電話交換機３０経由で携帯ＴＶ電話端末１１から送信された画像データが表示される。次に携帯ＴＶ電話端末１０のキー入力部１０３を操作してＳＭＳメッセージを作成し、送信キーを押下すると、このメッセージデータは、基地局４１を介してＳＭＳサーバ２０へ送られる。
【００２６】
ＳＭＳサーバ２０は、携帯ＴＶ電話端末１０からのメッセージデータに含まれている携帯ＴＶ電話端末１０の電話番号及び送信先端末１１の電話番号に従って、このＳＭＳメッセージを基地局４２経由で携帯ＴＶ電話端末１１に送信する。携帯ＴＶ電話端末１１は、受信したメッセージが携帯ＴＶ電話端末１０からのものであることを確認して、表示部１０２の所定位置に文字データとして表示する。
【００２７】
携帯ＴＶ電話端末１０からのメッセージに対して、携帯ＴＶ電話端末１１側でもＳＭＳアプリケーションを起動し、ＳＭＳメッセージを作成して送り返すと、そのメッセージは携帯ＴＶ電話端末１０の表示部１０２の所定位置に文字データとして表示される。このようにして、各端末では相手から送信された画像データを表示部１０２に表示させた状態でＳＭＳメッセージのみによる通話を行うことが可能になる。
【００２８】
なお、携帯ＴＶ電話端末１０にイヤホン端子を備え、マナーモード設定時であってもイヤホンによる相手側音声の受信は可能となるように構成してもよい。その場合、携帯ＴＶ電話端末１０からのＳＭＳメッセージに対して、携帯ＴＶ電話端末１１は、通常のＴＶ電話機能により携帯ＴＶ電話端末１１の送話用マイク１０５からの音声を携帯ＴＶ電話端末１０へ送信し、携帯ＴＶ電話端末１０ではイヤホン端子に接続されたイヤホンにより受話することができる。
【００２９】
また図５に示すように、本実施形態の携帯ＴＶ電話端末１０に対して着信があった場合には、携帯ＴＶ電話端末１０の制御部１０８は、マナーモード設定・解除部１１１により携帯ＴＶ電話端末１０にマナーモードが設定されているか否かを判定し、マナーモードが解除されているときには、通常のＴＶ電話機能として動作するように制御する。
【００３０】
一方、マナーモード設定・解除部１１１により携帯ＴＶ電話端末１０にマナーモードが設定されているときには、発呼側の電話番号が通知されているか否かを判定し、発呼側が番号非通知でＴＶ電話発信した場合には、相手電話番号が不明であるのでＳＭＳアプリケーションの自動立ち上げを行わずに、現在マナーモードが設定されているので応答できない旨のメッセージを送信して、通信を終了する。
【００３１】
発呼側の電話番号が通知されている場合には、携帯ＴＶ電話端末１０の動作を制御する制御部１０８は、携帯ＴＶ電話端末１０の送話用マイク１０５による音声入力と受話用スピーカ１０６による音声出力を禁止する制御を行うとともに前記ＳＭＳ機能をＴＶ電話機能と並行して動作させるために、メモリ１０７にアクセスしてＳＭＳアプリケーションの自動立ち上げを行い、ＳＭＳによるメッセージを送出する。
【００３２】
その際、最初のＳＭＳによるメッセージは、発呼端末に対して予め登録されているメッセージ、例えば、発呼端末に対して音声による通話が不可能であるためＳＭＳによる通信を行うことを知らせるメッセージを予め登録しておき、それを送信してもよい。それ以降の動作は、発呼の場合と同様である。
【００３３】
図６〜図９は、本実施形態の携帯ＴＶ電話端末による発呼または着呼時において表示部１０２の表示形態の概略を示す図である。
【００３４】
図６のように携帯端末１０から携帯端末１１へ番号通知でＴＶ電話発信したとき、携帯端末１１にマナーモードが設定されている場合には、携帯端末１１から携帯端末１０へＳＭＳが送信される。ＳＭＳを受信した携帯端末１０は、現在通話中の携帯端末１１の電話番号とＳＭＳの送信元の電話番号を比較する。同じ電話番号であれば相手からのＳＭＳのメッセージであるから、そのメッセージ（今電車の中です）をＴＶ電話中の携帯端末１０の画面に表示する。
【００３５】
また、図７に示すように携帯端末１０から携帯端末１１へ番号非通知でＴＶ電話発信し、携帯端末１０から携帯端末１１へＳＭＳを送信した場合、携帯端末１１はＴＶ電話中の相手端末が不明なためＳＭＳのメッセージはＴＶ電話中の画面には表示されない。従って、携帯端末１０にマナーモードが設定されている場合には、携帯端末１１には発呼者の画像データが表示されるだけであって、通話はできない。
【００３６】
また、図８に示すように携帯端末１０と携帯端末１１がＴＶ電話中に、携帯端末１１に他の携帯端末からＳＭＳが送信されてきた場合、携帯端末１１は現在通話中の携帯端末１０の電話番号と送信されてきたＳＭＳの送信元電話番号を比較した結果が異なるため、携帯端末１０からの画像データが表示されている現在ＴＶ電話中の画面にはこのＳＭＳメッセージは出力されない。
【００３７】
即ち、携帯端末のＴＶ電話中に本発明によるＳＭＳメッセージの送受信を行っているときに、この送受信とは関係のない第３者のＳＭＳメッセージを受信した場合には、画面にはそのメッセージを表示しないように制御される。これにより関係のない第３者のＳＭＳメッセージによって通話が混乱することがなくなり、利便性が一層向上する。
【００３８】
図９は、表示画面上に表示されるメッセージ表示形態の他の例を示しており、図９に示すように表示部１０２に表示される相手の画像を認識し、表示されている人物の口の位置を推定して吹き出しを設定し、相手画像にオーバーラップする形でメッセージを出力してもよい。その際、文字が多い場合はボタン押下により吹き出しを適宜入れ替えながら出力することによって長いメッセージも表示可能となる。また、例えば人物の口の部分にＸ印を重ねて表示する信号を送信し、音声による通話ができない場所であることを伝達してもよい。この映像に特定の文字や画像を重ねる手段は、端末側で適宜ＯＮ／ＯＦＦできるように設定される。
【００３９】
なお、上記実施形態では、マナーモード設定時にＴＶ電話とＳＭＳを組み合わせて通話を行う例について説明したが、第２の実施形態として、携帯端末に、ＳＭＳ機能の代わりに電話帳機能と電子メール機能を備え、ＳＭＳの代わりに電子メールを利用して文字メッセージの送受信を行うことによって実現することもできる。
【００４０】
例えばマナーモードが設定されている携帯端末１０から携帯端末１１へ発呼する場合には、メッセージの送信は、電話帳から発呼相手の電子メールアドレスを検索してメール送信によって行い、あるいは送信元の電子メールアドレスから電話帳を検索し、ＴＶ電話中の相手であればメッセージを表示する。これによりマナーモードが設定された状態でＴＶ電話中の相手とメッセージのやりとりが可能となる。
【００４１】
また、第３の実施形態として、携帯端末を、ＴＶ電話機能と文字データを音声信号に変換して送信する機能及び受信した音声信号を文字データに変換する機能を有する構成とし、マナーモードが設定されている時のＴＶ電話通信には、この音声と文字データの変換機能を起動させることにより、文字メッセージによる通話を行うこともできる。
【００４２】
例えばマナーモードが設定されている携帯端末１０から携帯端末１１へ発呼する場合には、この文字データを音声データに変換して送信する機能及び受信した音声データを文字データに変換する機能をＴＶ電話機能と並行して起動し、携帯端末１０のキー入力部１０３から入力された文字データを文字データ・音声変換機能により音声信号に変換して携帯端末１１へ送信し、また携帯端末１０の表示部１０２には、ＴＶ電話機能により携帯端末１１から受信した画像を表示するとともに、受信した音声信号を音声・文字データ変換機能により文字データに変換して表示する。これによりマナーモードが設定された状態でＴＶ電話中の相手と文字によりメッセージのやりとりを行う。
【００４３】
この文字データを音声データに変換して送信する機能及び受信した音声データを文字データに変換する機能は、例えば、制御部１０８と協働するソフトウェア（音声合成プログラムと音声認識プログラム）をメモリ１０７に格納しておき、音声と文字データの変換機能を起動したときに、ＴＶ電話機能と並行して動作させることにより実現可能である。
【図面の簡単な説明】
【００４４】
【図１】本発明の第１の実施形態を示す全体構成図である。
【図２】本実施形態のＴＶ電話機能およびＳＭＳ機能を備えた携帯ＴＶ電話端末の一例を示す外観図である。
【図３】本実施形態のＴＶ電話機能およびＳＭＳ機能を備えた携帯ＴＶ電話端末の一例を示す概略ブロック図である。
【図４】本実施形態の携帯ＴＶ電話端末による発呼時の動作を示すフローチャートである。
【図５】本実施形態の携帯ＴＶ電話端末による着呼時の動作を示すフローチャートである。
【図６】本実施形態の携帯ＴＶ電話端末による発呼または着呼時における表示形態の概略を示す図である。
【図７】本実施形態の携帯ＴＶ電話端末による発呼または着呼時における表示形態の概略を示す図である。
【図８】本実施形態の携帯ＴＶ電話端末による発呼または着呼時における表示形態の概略を示す図である。
【図９】本実施形態の携帯ＴＶ電話端末による発呼または着呼時における表示形態の概略を示す図である。
【符号の説明】
【００４５】
１０，１１  携帯端末
２０  ＳＭＳサーバ
３０  ＴＶ電話交換機
４１，４２  基地局
１０１  カメラ
１０２  表示部
１０３  キー操作部
１０４  アンテナ
１０５  マイク
１０６  スピーカ
１０７  メモリ
１０８  制御部
１０９  信号処理部
１１０  無線部
１１１  マナーモード設定・解除部
【図１】
2005303365.tif 000003
【図２】
2005303365.tif 000004
【図３】
2005303365.tif 000005
【図４】
2005303365.tif 000006
【図５】
2005303365.tif 000007
【図６】
2005303365.tif 000008
【図７】
2005303365.tif 000009
【図８】
2005303365.tif 000010
【図９】
2005303365.tif 000011